(57)【要約】Ｋ＝２の２次元符号化方法を達成する方法であるトレリスを用いた変調方式で、光記録媒体に記録されるデータを２値から４値への多値化をした場合、２次元符号化方法が非常に複雑になる。  ホログラフィを利用してページデータを記録する光情報記録装置であって、  記録する情報信号は第１の情報と第２の情報により構成される第３の情報を有する信号であり、  前記第1の情報のページデータ及び前記第２の情報のページデータのそれぞれの２次元データ配列の１方向の情報信号の連続数の下限値がそれぞれＫ（Ｋ≧２，Ｋ：自然数）となることを特徴とする２次元符号化方法により、前記第１の情報のページデータ及び前記第２の情報のページデータに対応する２次元ページデータを生成し、前記第1の情報のページデータに対応する２次元ページデータと前記第２の情報のページデータに対応する２次元ページデータを足し合わせることで前記第３の情報信号を生成する信号生成部と、  前記第３の情報信号に基づき前記２次元ページデータの前記第1の情報及び前記第２の情報の情報信号の連続数に応じたサイズのホログラムを光情報記録媒体に記録することを特徴とするピックアップと、を具備することを特徴とする光情報記録装置及び方法で解決できる。
2016194154.tif 000002
【特許請求の範囲】
【請求項１】
ホログラフィを利用してページデータを記録する光情報記録装置であって、
記録する情報信号は第１の情報と第２の情報により構成される第３の情報を有する信号であり、
前記第1の情報のページデータ及び前記第２の情報のページデータのそれぞれの２次元データ配列の１方向の情報信号の連続数の下限値がそれぞれＫ（Ｋ≧２，Ｋ：自然数）となることを特徴とする２次元符号化方法により、前記第１の情報のページデータ及び前記第２の情報のページデータに対応する２次元ページデータを生成し、前記第1の情報のページデータに対応する２次元ページデータと前記第２の情報のページデータに対応する２次元ページデータを足し合わせることで前記第３の情報を有する信号を生成する信号生成部と、
前記第３の情報を有する信号に基づき前記２次元ページデータの前記第1の情報及び前記第２の情報の情報信号の連続数に応じたサイズのホログラムを光情報記録媒体に記録するピックアップと、
を具備することを特徴とする光情報記録装置。
【請求項２】
請求項１に記載の光情報記録装置であって、
前記第１の情報とは振幅情報、前記第２の情報とは位相情報、前記第３の情報とは振幅位相情報であることを特徴とする光情報記録装置。
【請求項３】
請求項１に記載の光情報記録装置であって、
前記第１の情報とは実部情報、前記第２の情報とは虚部情報、前記第３の情報とは複素振幅情報であることを特徴とする光情報記録装置。
【請求項４】
請求項２または３に記載の光情報記録装置であって、
前記２次元符号化方法では生成する信号の前記第１の情報のページデータ及び前記第２の情報のページデータにおける前記２次元データ配列の１方向の情報信号の連続数に対し、それと直交する方向の連続数の下限値がそれぞれＬ（Ｌ≧２、Ｌ：自然数）となることを特徴とする光情報記録装置。
【請求項５】
請求項２または３に記載の光情報記録装置であって、
前記信号生成部は、
記録する情報信号の前記第１の情報のページデータを２次元符号化する第１の２次元符号化部と、
記録する情報信号の前記第２の情報のページデータを２次元符号化する第２の２次元符号化部と、
前記第１の２次元符号化部と前記第２の２次元符号化部を制御する制御部を具備し、
前記制御部は前記第１の情報の２次元符号化と前記第２の２次元符号化を並行して行うよう前記第１の２次元符号化部と前記第２の２次元符号化部を制御することを特徴とする光情報記録装置。
【請求項６】
請求項２または３に記載の光情報記録装置であって、
前記信号生成部は前記第３の情報を有する信号を生成した後、前記第３の情報を有する信号を前記第１の情報信号のみに置き換えることを特徴とする光情報記録装置。
【請求項７】
ホログラフィを利用して情報を記録する光情報記録装置であって、
記録する情報信号は第１の情報と第２の情報により構成される第３の情報を有する信号であり、
前記第1の情報のページデータ及び前記第２の情報のページデータのそれぞれの２次元データ配列の１方向の情報信号の連続数の下限値がそれぞれＫ（Ｋ≧２，Ｋ：自然数）となることを特徴とする２次元符号化方法により前記第１の情報のページデータ及び前記第２の情報のページデータに対応する２次元ページデータを生成する信号生成部と、
前記２次元ページデータの前記第1の情報及び前記第２の情報の情報信号の連続数に応じたサイズのホログラムを光情報記録媒体に記録するピックアップと、を具備し、前記信号生成部により情報信号の前記第１の情報のページデータのみを２次元符号化し、前記ピックアップにより前記第1の情報のページデータに対応する２次元ページデータを前記光情報記録媒体に記録する第１の手段と、
前記信号生成部により情報信号の前記第２の情報のページデータのみを２次元符号化し、前記ピックアップにより前記第２の情報のページデータに対応する２次元ページデータを前記第１の手段により記録された前記光情報記録媒体上の位置に記録する第２の手段と、
を有することを特徴とする光情報記録装置。
【請求項８】
信号光と参照光との干渉パターンがページデータとして記録されている光情報記録媒体から情報を再生する光情報再生装置であって、
信号光と参照光を生成するレーザ光を出射するレーザ光源と、
前記参照光により再生された第１の情報及び第２の情報で構成される第３の情報を有する信号が記録されたページデータを検出する光検出器と、
前記光検出器によって検出した第３の情報を有する信号を前記第１の情報のページデータ及び前記第２の情報のページデータに分離するデータ分離部と、
分離された前記第１の情報のページデータと前記第２の情報のページデータよりそれぞれ復調する２次元データ復調部と、
を具備することを特徴とする光情報再生装置。
【請求項９】
請求項８に記載の光情報再生装置であって、
前記第１の情報とは振幅情報、前記第２の情報とは位相情報、前記第３の情報とは振幅位相情報であることを特徴とする光情報再生装置。
【請求項１０】
請求項８に記載の光情報再生装置であって、
前記第１の情報とは実部情報、前記第２の情報とは虚部情報、前記第３の情報とは複素振幅情報であることを特徴とする光情報再生装置。
【請求項１１】
請求項９または１０に記載の光情報再生装置であって、
前記参照光より干渉光を生成する干渉光生成部を具備し、
前記光情報記録媒体に記録された情報信号と第1の干渉光を干渉させ、前記光検出器により第１の情報のページデータを検出する第１の手段と、
前記光情報記録媒体に記録された情報信号と前記第１の干渉光と位相が異なる第２の干渉光を干渉させ、前記光検出器により第２の情報のページデータを検出する第２の手段と、を備え、
前記２次元データ復調部は前記光検出器で検出した情報信号の第1の情報のページデータ及び第2の情報のページデータをそれぞれ復調する、
ことを特徴とする光情報再生装置。
【請求項１２】
ホログラフィを利用してページデータを光情報記録媒体に記録する光情報記録方法であって、
記録する情報信号は第１の情報と第２の情報により構成される第３の情報を有する信号であり、
前記第1の情報のぺージデータ及び前記第２の情報のページデータのそれぞれの２次元データ配列の１方向の情報信号の連続数の下限値がそれぞれＫ（Ｋ≧２，Ｋ：自然数）となることを特徴とする２次元符号化方法により前記第１の情報のページデータ及び前記第２の情報のページデータに対応する２次元ページデータを生成するステップと、
前記第1の情報のページデータに対応する２次元ページデータと前記第２の情報のページデータに対応する２次元ページデータを足し合わせることで前記第３の情報を有する信号を生成するステップと、
前記第３の情報を有する信号に基づき、前記２次元ページデータの前記第1の情報及び前記第２の情報の情報信号の連続数に応じたサイズのホログラムを光情報記録媒体に記録するステップと、
を有することを特徴とする光情報記録方法。
【請求項１３】
請求項１２に記載の光情報記録方法であって、
前記第１の情報とは振幅情報、前記第２の情報とは位相情報、前記第３の情報とは振幅位相情報であることを特徴とする光情報記録方法。
【請求項１４】
請求項１２に記載の光情報記録方法であって、
前記第１の情報とは実部情報、前記第２の情報とは虚部情報、前記第３の情報とは複素振幅情報であることを特徴とする光情報記録方法。
【請求項１５】
請求項１３または１４に記載の光情報記録方法であって、
前記２次元符号化方法では生成する信号の前記第１の情報のページデータ及び前記第２の情報のページデータにおける前記データ配列の１方向の情報信号の連続数に対し、それと直交する方向の連続数の下限値がそれぞれＬ（Ｌ≧２、Ｌ：自然数）となることを特徴とする光情報記録方法。
【請求項１６】
請求項１３または１４に記載の光情報記録方法であって、
記録する情報信号の前記第１の情報のページデータを２次元符号化するステップと、
記録する情報信号の前記第２の情報のページデータを２次元符号化するステップと、を有し、
前記第１の情報のページデータの２次元符号化のステップと前記第２の情報のページデータの２次元符号化のステップを並行して行うことを特徴とする光情報記録方法。
【請求項１７】
請求項１３または１４に記載の光情報記録方法であって、
前記第３の情報を有する信号を生成した後、前記第３の情報を有する信号を前記第１の情報信号のみに置き換えるステップと、
を有することを特徴とする光情報記録方法。
【請求項１８】
ホログラフィを利用して情報を光情報記録媒体に記録する光情報記録方法であって、
記録する情報信号は第１の情報と第２の情報により構成される第３の情報を有する信号であり、
前記第1の情報及び前記第２の情報のページデータのそれぞれの２次元データ配列の１方向の情報信号の連続数の下限値がそれぞれＫ（Ｋ≧２，Ｋ：自然数）となることを特徴とする２次元符号化方法により前記第１の情報のページデータ及び前記第２の情報のページデータに対応する２次元ページデータを生成する生成ステップと、
前記生成ステップにより情報信号の前記第１の情報のページデータのみを２次元符号化し、前記第1の情報のページデータに対応する２次元ページデータを前記光情報記録媒体に記録する第１の記録ステップと、
情報信号の前記第２の情報のページデータのみを２次元符号化し、前記第２の情報のページデータに対応する２次元ページデータを前記第１の記録ステップにより記録された前記光情報記録媒体上の位置に記録することで、前記第１の情報信号と前記第２の情報を足し合わせ前記第３の情報を有する信号を生成する第２の記録ステップと、を有することを特徴とする光情報記録方法。
【請求項１９】
信号光と参照光との干渉パターンがページデータとして記録されている光情報記録媒体から情報を再生する光情報再生方法であって、
信号光と参照光を生成するステップと、
前記参照光により再生された第１の情報及び第２の情報で構成される第３の情報を有する信号が記録されたページデータを検出するステップと、
前記光検出器によって検出した第３の情報を有する信号を前記第１の情報のページデータ及び前記第２の情報のページデータに分離するステップと、
分離された前記第１の情報のページデータと前記第２の情報のページデータよりそれぞれ復調するステップと、
を有することを特徴とする光情報再生方法。
【請求項２０】
請求項１９に記載の光情報再生方法であって、
前記第１の情報とは振幅情報、前記第２の情報とは位相情報、前記第３の情報とは振幅位相情報であることを特徴とする光情報再生方法。
【請求項２１】
請求項１９に記載の光情報再生方法であって、
前記第１の情報とは実部情報、前記第２の情報とは虚部情報、前記第３の情報とは複素振幅情報であることを特徴とする光情報再生方法。
【請求項２２】
請求項２０または２１に記載の光情報再生方法であって、
前記参照光より干渉光を生成するステップと、
前記光情報記録媒体に記録された情報信号と第1の干渉光を干渉させ、第１の情報のページデータを検出するステップと、
前記ホログラムディスクに記録された情報信号と前記第１の干渉光と位相が異なる第２の干渉光を干渉させ、第２の情報のページデータを検出するステップと、
検出した前記第1の情報のページデータ及び前記第2の情報のページデータをそれぞれ復調するステップと、
を有することを特徴とする光情報再生方法。
【発明の詳細な説明】
【技術分野】
【０００１】
本発明は、ホログラフィを用いて、記録媒体に情報を記録または記録媒体から情報を再生する、装置及び方法に関する。
【背景技術】
【０００２】
ホログラムの高密度記録技術として、例えば特開２００４−２７２２６８号公報（特許文献１）がある。本公報の「要約」には、「ホログラムの隣接するスタック間で部分的空間的重なり合いによってホログラムが空間的に多重化される、多重化方法および装置が開示される。各々のスタックは、例えば角度、波長、位相符号、ペリストロピック、またはフラクタル多重化等の別の多重化技術の完全な利点をさらに取り得る。ホログラムを書き込む信号光のビームウエストに等しい量が、ホログラムの個々のスタックを分離する。再現時に、あるホログラムとそのホログラムに隣接するホログラムとは、全て同時に読み出される。再現されたデータのビームウエストにフィルタが配置されることにより、読み出された隣接するホログラムは、カメラ面まで伝達されない。もしくは、これらの所望ではない再現は、制限された角度パスバンドを有する光学系においては、中間面の角度フィルタによってフィルタリングされ得る。」と記載されている。【０００３】
また、特開２０１４−５３０６９号公報（特許文献２）の「要約」には「ホログラフィを利用して情報を記録する光情報記録再生装置において、２次元空間光変調器のピクセルの１方向に対する配列におけるＯＮ／ＯＦＦピクセル連続数の下限値がＫ（Ｋ≧２，Ｋ：自然数）となることを特徴とする２次元符号化方法により２次元データを生成する信号生成部と、前記信号生成部が生成した２次元データをホログラムディスクに記録するピックアップと、を具備する光情報記録装置及び方法で解決できる。」と記載されている。
【先行技術文献】
【特許文献】
【０００４】
【特許文献１】特開２００４−２７２２６８号公報
【特許文献２】特開２０１４−０５３０６９号公報
【発明の概要】
【発明が解決しようとする課題】
【０００５】
ところで、特許文献２の方法において光記録媒体に記録されるデータを多値化した場合、記録データの連続数の下限値をＫ（Ｋ≧２，Ｋ：自然数）とする２次元符号化方法が非常に複雑になるといった課題が挙げられる。例えばＫ＝２の２次元符号化方法を達成する方法としてトレリス則を用いた変調方式が挙げられるが、２値から４値への多値化を行った場合トレリス則の取り得るパスは１６倍にも膨れ上がる。
本発明の目的は、記録データの多値化を行った際に記録データの連続数の下限値をＫ（Ｋ≧２，Ｋ：自然数）とする２次元符号化方法を簡略化することにある。
【課題を解決するための手段】
【０００６】
上記課題は、例えば請求項の範囲に記載の発明により解決される。
【発明の効果】
【０００７】
本発明によれば、ホログラフィを利用したデジタル情報の記録において、処理の複雑化を抑えつつ多値化した記録データの連続数の下限値をＫ（Ｋ≧２，Ｋ：自然数）とする２次元符号化方法を達成できる。
【図面の簡単な説明】
【０００８】
【図１ａ】実部用ページデータの２次元符号化パターン（実施例１）
【図１ｂ】虚部用ページデータの２次元符号化パターン（実施例１）
【図１ｃ】複素振幅ページデータの２次元符号化パターン（実施例１）
【図２】光情報記録再生装置の実施例を表す概略図
【図３】光情報記録再生装置内のピックアップの実施例を表す概略図（記録原理）
【図４】光情報記録再生装置内のピックアップの実施例を表す概略図（再生原理）
【図５ａ】本実施例における光情報記録再生装置の動作フローを表す図
【図５ｂ】本実施例における光情報記録再生装置の動作フローを表す図
【図５ｃ】本実施例における光情報記録再生装置の動作フローを表す図
【図６】本実施例における信号生成回路の構成例を表す図
【図７】本実施例における信号処理回路の構成例を表す図
【図８】本実施例における信号生成回路の動作フローを表す図
【図９】本実施例における信号処理回路の動作フローを表す図
【図１０ａ】２次元符号化を達成するトレリスを表す概略図
【図１０ｂ】２次元符号化を達成するトレリスを表す概略図
【図１０ｃ】２次元符号化を達成するトレリスを表す概略図
【図１１ａ】実部用ページデータの２次元符号化パターン（実施例２）
【図１１ｂ】虚部用ページデータの２次元符号化パターン（実施例２）
【図１１ｃ】複素振幅ページデータの２次元符号化パターン（実施例２）
【図１２】本実施例における信号生成回路の動作フローを表す図（実施例３）
【図１３】本実施例における信号生成回路の動作フローを表す図（実施例４）
【図１４】本実施例における信号生成回路の動作フローを表す図（実施例５）
【図１５】複素振幅の情報を振幅情報に変換する方法を表す図
【図１６】本実施例における信号処理回路の動作フローを表す図（実施例６）
【図１７ａ】振幅情報の信号配置を表す図
【図１７ｂ】位相情報の信号配置を表す図と位相情報の信号配置を表す概略図
【図１８ａ】位相情報から実部を分離する方法を表す図
【図１８ｂ】位相情報から虚部を分離する方法を表す図
【図１９ａ】情報信号の連続数下限値Ｋ＝１における開口サイズを表す図
【図１９ｂ】情報信号の連続数下限値Ｋ＝２における開口サイズを表す図
【図２０】本実施例における２次元復調回路の構成例を表す図
【発明を実施するための形態】
【０００９】
以下、本発明の実施例について図面を用いて説明する。
【実施例１】
【００１０】
本発明の実施形態を添付図面にしたがって説明する。図２はホログラフィを利用してデジタル情報を記録および／または再生する光情報記録媒体の記録再生装置を示すブロック図である。
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。【００１１】
ピックアップ１１は、参照光と信号光を光情報記録媒体１に照射してホログラフィを利用してデジタル情報を記録媒体に記録する役割を果たす。この際、記録する情報信号はコントローラ８９によって信号生成回路８６を介してピックアップ１１内の空間光変調器に送られ、信号光は空間光変調器によって変調される。
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。【００１２】
光情報記録媒体１に照射する参照光と信号光の照射時間は、ピックアップ１１内のシャッタの開閉時間をコントローラ８９によってシャッタ制御回路８７を介して制御することで調整できる。【００１３】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。【００１４】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
光源駆動回路８２からは所定の光源駆動電流がピックアップ１１、キュア光学系１３、ディスク回転角度検出用光学系１４内の光源に供給され、各々の光源からは所定の光量で光ビームを発光することができる。【００１５】
また、ピックアップ１１、そして、ディスクキュア光学系１３は、光情報記録媒体１の半径方向に位置をスライドできる機構が設けられており、アクセス制御回路８１を介して位置制御がおこなわれる。
ところで、ホログラフィの角度多重の原理を利用した記録技術は、参照光角度のずれに対する許容誤差が極めて小さくなる傾向がある。
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。
また、ピックアップ１１、キュア光学系１３、ディスク回転角度検出用光学系１４は、いくつかの光学系構成または全ての光学系構成をひとつに纏めて簡素化しても構わない。【００１６】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。【００１７】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
空間光変調器３１２によって情報が付加された信号光は、ＰＢＳプリズム３１１を反射し、リレーレンズ３１３ならびに開口３１４を伝播する。その後、信号光は対物レンズ３１５によって光情報記録媒体１に集光する。一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。【００１８】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。
以降、同じ領域に参照光角度を変えて記録されたホログラムにおいて、１つ１つの参照光角度に対応したホログラムをページと呼び、同領域に角度多重されたページの集合をブックと呼ぶことにする。【００１９】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
この再生用参照光によって再生された再生光は、対物レンズ３１５、リレーレンズ３１３ならびに開口３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。【００２０】
図５は、光情報記録再生装置１０における記録、再生の動作フローを示したものである。ここでは、特にホログラフィを利用した記録再生に関するフローを説明する。
図５ａは、光情報記録再生装置１０に光情報記録媒体１を挿入した後、記録または再生の準備が完了するまでの動作フローを示し、図５ｂは準備完了状態から光情報記録媒体１に情報を記録するまでの動作フロー、図５ｃは準備完了状態から光情報記録媒体１に記録した情報を再生するまでの動作フローを示したものである。【００２１】
図５ａに示すように媒体を挿入すると（Ｓ５０１）、光情報記録再生装置１０は、例えば挿入された媒体がホログラフィを利用してデジタル情報を記録または再生する媒体であるかどうかディスク判別を行う（Ｓ５０２）。
ディスク判別の結果、ホログラフィを利用してデジタル情報を記録または再生する光情報記録媒体であると判断されると、光情報記録再生装置１０は光情報記録媒体に設けられたコントロールデータを読み出し（Ｓ５０３）、例えば光情報記録媒体に関する情報や、例えば記録や再生時における各種設定条件に関する情報を取得する。【００２２】
コントロールデータに応じた各種調整やピックアップ１１に関わる学習処理（Ｓ５０４）を行い、光情報記録再生装置１０は、記録または再生の準備が完了する（Ｓ５０５）。
準備完了状態から情報を記録するまでの動作フローは図５ｂに示すように、まず記録するデータを受信して（Ｓ５１１）、該データに応じた情報をピックアップ１１内の空間光変調器に送る。
その後、光情報記録媒体に高品質の情報を記録できるように、必要に応じて例えば光源３０１のパワー最適化やシャッタ３０３による露光時間の最適化等の各種記録用学習処理を事前に行う（Ｓ５１２）。【００２３】
その後、シーク動作（Ｓ５１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
その後、キュア光学系１３から出射する光ビームを用いて所定の領域をプリキュアし（Ｓ５１４）、ピックアップ１１から出射する参照光と信号光を用いてデータを記録する（Ｓ５１５）。
データを記録した後は、キュア光学系１３から出射する光ビームを用いてポストキュアを行う（Ｓ５１６）。必要に応じてデータをベリファイしても構わない。【００２４】
準備完了状態から記録された情報を再生するまでの動作フローは図５ｃに示すように、まずシーク動作（Ｓ５２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
その後、ピックアップ１１から参照光を出射し、光情報記録媒体に記録された情報を読み出し（Ｓ５２２）、再生データを送信する（Ｓ５２３）。【００２５】
図６は、光情報記録再生装置１０の信号生成回路８６のブロック図である。出力制御回路９０にユーザデータの入力が開始されると、入出力制御回路９０はコントローラ８９にユーザデータの入力が開始されたことを通知する。コントローラ８９は入出力回路９０からの通知を受け、信号生成回路８６に入出力制御回路９０から入力される１ページ分のデータを記録処理するよう命ずる。コントローラ８９からの処理命令は制御用ライン６０９を経由し、信号生成回路８６内サブコントローラ６０１に通知される。本通知を受け、サブコントローラ６０１は各信号処理回路を並列に動作させるよう制御用ライン６０９を介して各信号処理回路の制御を行う。【００２６】
先ずメモリ制御回路６０３に、データライン６１０を介して入出力制御回路９０から入力されるユーザデータをメモリ６０２に格納するよう制御する。メモリ６０２に格納したユーザデータが、ある一定量に達すると、ＣＲＣ演算回路６０４でユーザデータをＣＲＣ化する制御を行う。次にＣＲＣ化したデータに、スクランブル回路６０５で擬似乱数データ列を加えるスクランブル化を施し、誤り訂正符号化回路６０６でパリティデータ列を加える誤り訂正符号化する制御を行う。次に、２次元変調回路６０７で記録する情報信号の連続数の下限値がＫ（Ｋ≧２，Ｌ：自然数）となるよう変調規則に基づいて２次元変調する。最後にピックアップインターフェース回路６０８に２次元変調したデータを空間光変調器３１２上の２次元データの並び順で読み出させ、再生時に基準となるマーカーを付加した後、ピックアップ１１内の空間光変調器３１２に２次元データを転送する。【００２７】
この時、情報信号の連続数の下限値がＫ（Ｋ≧２，Ｌ：自然数）となるように２次元変調した場合にはホログラムサイズが１／Ｋ倍となる為それに応じて開口３１４のサイズを変更する必要がある。これは、実際にはホログラムサイズが開口サイズによって決定される為である。開口サイズの変更方法をＫ＝２の場合を例として図１９に示す。図１９ａは情報信号の連続数の下限値に制約を持たせなかった場合の空間フィルタであるが、下限値がＫ＝２となるように２次元変調した場合には図１９ｂのように下限値を設定下方向のフィルタサイズを１／Ｋ倍とすることが望ましい。但し、ここで示した空間フィルタは例であり、この形状に限定されるものではない。また、空間光変調器３１２に転送する２次元データは。実数のみで表される振幅情報であっても、実数と虚数で表される位相情報もしくは振幅位相情報であっても構わない。【００２８】
振幅情報と位相情報の違いは図１７に示すように実部の値を横軸に、虚部の値を縦軸に示したグラフで表すことができる。図１７ａは“０”、“１”の２値の振幅情報を記録する場合の情報信号の配置を表している。振幅情報では虚部の値が０となる為、当然情報信号は横軸上に一直線に並ぶ。図１７ｂには例として“（１＋ｊ）／√２”、“（−１−ｊ）／√２”の２値の位相情報を扱う場合の情報信号の配置を表している。虚部の値が０ではなくなる為、情報信号は横軸上を離れる配置となる。尚、本実施例では位相情報を扱う場合には複素振幅の形で表現しているが、０〜２πの形で表現しても同等となる。例えば“（１＋ｊ）／√２”は“π／４”と同等の位相情報を表すことになる。位相情報を表す２次元データは例えば２ページの足し合わせによって表現することが可能であり、その場合には２次元変調回路６０７で２次元変調した２次元データ２ページをそれぞれ実部用ページ／虚部用ページとして割り当てる。その際には、実部データを２次元変調した後に虚部データを２次元変調して足し合わせる必要があるため、２次元変調した実部データは１度実部データ記憶回路（６１１）によって記憶される。ここでは実部データを１度記憶する例を示したが、虚部データを１度記憶してもよいし、実部データと虚部データ両方を記憶しても構わない。【００２９】
図７は、光情報記録再生装置１０の信号処理回路８５のブロック図である。コントローラ８９はピックアップ１１内の光検出器３２５が画像データを検出すると、信号処理回路８５にピックアップ１１から入力される１ページ分のデータを再生処理するよう命ずる。ここで、記録したデータが振幅情報であった場合には光検出器３２５で簡単に画像データを検出可能だが、記録したデータが位相情報であった場合には位相情報を検出可能な検出器を用いるか、もしくはフリンジスキャン法といった方法に代表される位相差検出法を用いて位相検出を行う必要がある。【００３０】
コントローラ８９からの処理命令は制御用ライン７１２を経由し、信号処理回路８５内サブコントローラ７０１に通知される。本通知を受け、サブコントローラ７０１は各信号処理回路を並列に動作させるよう制御用ライン７１２を介して各信号処理回路の制御を行う。先ず、メモリ制御回路７０３に、データライン７１３を介して、ピックアップ１１からピックアップインターフェース回路７１１を経由して入力される画像データをメモリ７０２に格納するよう制御する。メモリ７０２に格納されたデータがある一定量に達すると、画像位置検出回路７１０でメモリ７０２に格納された画像データ内からマーカーを検出して有効データ範囲を抽出する制御を行う。次に検出されたマーカーを用いて画像歪み補正回路７０９で、画像の傾き・倍率・ディストーションなどの歪み補正を行い、画像データを期待される２次元データのサイズに変換する制御を行い、更に２次元等化回路１０１で２次元データの符号間干渉を除去する制御を行う。【００３１】
次に、変調して記録されたデータに対して、変調時に用いた変調則にしたがって、２次元復調回路７０７で２次元復調を行う。ここで、記録した情報信号が位相情報、かつ信号生成時における２次元変調を実部と虚部で分けて処理していた場合にはデータを実部と虚部に分離し、それぞれを２次元復調した後に実部と虚部を足し合わせることが可能となる。この場合の２次元復調回路７０７のブロック図を図２０に示す。２次元等化回路１０１からの２次元データは実部／虚部データ分離回路２００１によって実部と虚部に分離された後、実部は実部２次元復調回路２００２で復調、虚部は虚部２次元復調回路２００３で復調される。各々復調された実部と虚部は実部／虚部足し合わせ回路２００４で足し合わされる。実部／虚部データ分離回路において、実部と虚部を分離する方法の概要を図１８に示す。【００３２】
図１８は例として“（１＋ｊ）／√２”、“（１―ｊ）／√２”、“（―１＋ｊ）／√２”、“（―１―ｊ）／√２”の４値の位相情報を記録した場合の信号配置を示している、図１８ａは４つの信号点のそれぞれ余弦を計算することで信号点を横軸上に移して実部の２値を分離しており、図１８ｂは４つの信号点のそれぞれ正弦を計算することで信号点を縦軸上に移して虚部の２値を分離している。続いて、２次元データを構成する複数ビットの各ビットデータを、２値化回路７０８において２値の振幅情報を記録した場合には例えば“０”、“１”、位相情報を記録した場合には例えば“（１＋ｊ）／√２”、“（−１−ｊ）／√２”と判定して２値化し、メモリ７０２上に再生データの出力の並びでデータを格納する制御を行う。【００３３】
この時、記録データが多値の情報信号であった場合には２値化ではなく情報信号の階調分に応じた値に区別すれば良い。【００３４】
次に誤り訂正回路７０６で各データ列に含まれる誤りを訂正し、スクランブル解除回路７０５で擬似乱数データ列を加えるスクランブルを解除した後、ＣＲＣ演算回路７０４でメモリ７０２上のユーザデータ内に誤りが含まれない確認を行う。その後、入出力制御回路９０にメモリ７０２からユーザデータを転送する。【００３５】
図８は、記録時のデータ処理フローを示したものであり、図８を用いて記録時のデータ処理について説明する。信号生成回路８６がユーザデータを受信（Ｓ８０１）すると、複数のデータ列に分割、再生時エラー検出が行えるように各データ列をＣＲＣ化（Ｓ８０２）し、オンピクセル数とオフピクセル数をほぼ等しくし、同一パターンの繰り返しを防ぐことを目的にデータ列に擬似乱数データ列を加えるスクランブル（Ｓ８０３）を施した後、再生時エラー訂正が行えるようにリード・ソロモン符号等の誤り訂正符号化（Ｓ８０４）を行い、特開２０１４−５３０６９号公報（特許文献２）に記載されている２次元符号化方法を適用して情報信号の連続数の下限値をＫ（Ｋ≧２，Ｋ：自然数）とする変調規則に基づいて２次元変調（Ｓ８０５）を行う。【００３６】
次にこのデータ列をＭ×Ｎの２次元データに変換し、それを１ページデータ分繰返すことで１ページ分の２次元データ（Ｓ８０６）を構成、このように構成した２次元データに対して再生時の画像位置検出や画像歪補正での基準となるマーカーを付加（Ｓ８０７）する。【００３７】
ここで、複数ページデータの足し合わせによって位相情報の情報信号を表現する為に記録ページデータの偶数／奇数を判定（Ｓ８０８）し、ページデータが偶数であった場合にはページデータを１度実部データ記憶回路（６１１）に記憶（Ｓ８０９）し、再度Ｓ８０１〜Ｓ８０７の処理を行う。ページデータが奇数であった場合には前偶数ページデータが記憶されている為、偶数ページデータを複素振幅の実部、奇数ページデータを虚部として足し合わせ位相情報の情報信号を生成（Ｓ８１０）、空間光変調器３１２にデータを転送（Ｓ８１１）する。なお、図８のデータ処理は最初に偶数ページデータを受信した場合を想定しているが、これに限定されず、最初に奇数ページデータを受信しても構わない。その場合、Ｓ８０８でージデータの偶数／奇数を判定（Ｓ８０８）し、ページデータが奇数であった場合にはページデータを１度実部データ記憶回路（６１１）に記憶（Ｓ８０９）し、再度Ｓ８０１〜Ｓ８０７の処理を行うこととなる。【００３８】
次に図９を用いて再生時のデータ処理フローについて説明する。光検出器３２５で検出された画像データが信号処理回路８５に転送（Ｓ９０１）される。この画像データに含まれるマーカーを基準に画像位置を検出（Ｓ９０２）し、画像の傾き・倍率・ディストーションなどの歪みを補正（Ｓ９０３）した後、２次元等化処理による符号間干渉の除去（Ｓ９０４）及び２値化処理（Ｓ９０５）を行い、マーカーを除去（Ｓ９０６）することで１ページ分の２次元データを取得（Ｓ９０７）する。次に、２次元データの実部と虚部を分離し（Ｓ９０８）、実部のみの２次元データ復調（Ｓ９０９）と虚部のみの２次元データ復調（Ｓ９１０）を行い、実部と虚部を再度足し合わせる（Ｓ９１１）このようにして得られた２次元データを複数のデータ列に変換した後、誤り訂正処理（Ｓ９１２）を行い、パリティデータ列を取り除く。次にスクランブル解除処理（Ｓ９１３）を施し、ＣＲＣによる誤り検出処理（Ｓ９１４）を行ってＣＲＣパリティを削除した後にユーザデータを入出力制御回路９０経由で送信（Ｓ９１５）する。【００３９】
ここで、以上で説明した本実施例の光情報記録再生装置において、本実施例の特徴である２次元符号化方法について説明する。この２次元符号化は記録する情報信号を複素振幅で表現し、複素振幅の実部と虚部それぞれを分けて２次元符号化するものである。この２次元符号化について図１、図１０を用いて詳細説明する。【００４０】
図１は第１の実施例において、２次元符号化した２次元パターンの例である。図１ａは情報信号の実部に割り当てる為の２次元データを表しており、仮にその値をａ、ｂ（ａ，ｂ：実数）とする。このパターンの特徴は１方向に対する配列におけるａ／ｂの連続数の下限値がＫ（Ｋ≧２，Ｋ：自然数）となるように制約をかける。例えば図１の場合ではＫ＝２の例を示しており、配列中のａ／ｂ連続数は最小でも２つ連続することになり、孤立のものは除外される。【００４１】
図１ｂは情報信号の虚部に割り当てる為の２次元データを表しており、仮にその値をｃ、ｄ（ｃ，ｄ：実数）とする。虚部用のデータに対しても実部と同様の制約をかけるが、実部用の２次元データと虚部用の２次元データでは異なるユーザデータを用いる為２次元配列の並びは異なったものとなる。図１ｃは図１ａと図１ｂを足し合わせて生成した２次元パターンであり、足し合わせの際には図１ｂを虚部として扱う為に虚数を表すｊを付加し、図１ｃは実部と虚部を両方もった複素振幅となる。例えばａ＝１、ｂ＝−１、ｃ＝１、ｂ＝−１とした場合には図１ｃの取り得る値は“１＋ｊ”、“１−ｊ”、“−１＋ｊ”、“−１−ｊ”の４値となる。尚、この４値の値はそれぞれ“π／４”、“３π／４”、“５π／４”、“７π／４”の表現と同等である。【００４２】
図１ｃの取り得る値はａ＋ｊｃ、ａ＋ｊｄ、ｂ＋ｊｃ、ｂ＋ｊｄの４値となるが、複素振幅の実部／虚部の各ページの値の連続数の下限値をＫ（Ｋ≧２，Ｋ：自然数）とする制約を守っていれば良く、実部と虚部を足し合わせた値が制約を守る必要は無い。この時、前述した情報信号の連続数の下限値によって開口のサイズを変更する方法に関して下限値Ｋは実部／虚部の各ページの値の連続数によって決められる。その為、たとえ実部と虚部を足し合わせた値の連続数の下限値が１であっても実部／虚部の各ページの値の連続数の下限値がＫ（Ｋ≧２，Ｋ：自然数）であった場合には開口サイズを１／Ｋにすることが可能である。【００４３】
通常、４値の情報信号を用いて連続数の下限値をＫ（Ｋ≧２，Ｋ：自然数）とする２次元符号化を行う場合には４値の値それぞれが制約を守る必要があり、変調の複雑化が問題となる。例えばトレリス則を用いて２値の情報信号を２次元符号化する場合にトレリス則は図１０ａに示すように２値×２ｂｉｔで２２＝４つの状態を遷移し、遷移するパスは４×４で１６通りとなる。２値から４値への多値化を行った場合にはトレリス則は図１０ｂに示すように４値×２ｂｉｔで４２＝１６の状態を遷移し、状態を遷移するパスは１６×１６で２５６通りとなる。【００４４】
このように、４値の情報信号に制約を守らせた場合、２値から４値への多値化でパスは１６倍に膨れ上がる。一方で、本特許に記載の技術を用いた場合には図８におけるＳ８０１〜Ｓ８０７の処理を奇数ページと偶数ページで2度繰り返して行い、２値の２次元符号化を２度行うことで４値の情報信号に制約を守らせた場合と同様の効果が得られる。その為、図１０ｃに示すように図１０ａのトレリスを２つ用いることで２次元符号化が可能であり、２値と比較して倍の規模で４値の２次元符号化が可能となる。このように、実部と虚部をそれぞれ２次元符号化し、足し合わせて情報信号を生成することで変調の複雑化を大幅に抑えて情報信号の多値化を行うことが可能である。
【実施例２】
【００４５】
本実施例が実施例１と異なるのは、図１１に示すように２次元符号化における情報信号の連続数の制約を２方向同時にかけることである。実施例１が情報信号の下限値を１方向だけに限っていたのに対して、本実施例では１方向の配列における連続数の下限値をＫ（Ｋ≧２，Ｋ：自然数）、それと直交する方向の配列における連続数の下限値をＬ（Ｌ≧２，Ｌ：自然数）と制約をかける。これによりホログラムサイズは１／（Ｋ×Ｌ）倍となりＫ×Ｌ倍の高密度化が可能となる。
【実施例３】
【００４６】
本実施例が実施例１と異なるのは、複数ページデータの生成及び２次元符号化を異なる回路で並列処理することである。本実施例におけるデータ記録時の処理フローを図１２を用いて説明する。図１２が図８と異なるのは記録データを２ページ分纏めて受信（Ｓ１２０１）し、その後に記録データの偶数／奇数ページ判定（Ｓ１２０２）を行い、奇数ページと偶数ページを異なるフローで並列に処理するところにある。偶数ページに対しては実部２次元変調（Ｓ１２１３）を行い、奇数ページに対しては虚部２次元変調（Ｓ１２０６）を行う。これにより、実部と虚部を同時に２次元変調することが出来る為、処理時間を延ばすことなく情報信号の多値化が可能である。【００４７】
また、信号生成回路８６は実部２次元変調部と虚部２次元変調部をわけて保持することにより実部と虚部で異なる２次元変調が可能となる。本実施例では２次元変調部のみ実部と虚部を分けて処理したが、情報信号生成フローに含まれる処理であればいかなる処理であっても実部と虚部の処理内容を変えても構わない。これにより実部と虚部の２次元データを自由に変更することが可能となる。
【実施例４】
【００４８】
本実施例が実施例１と異なるのは、ホログラムを記録する際に情報信号の実部を記録する為の信号光照射と虚部を記録する為の信号光照射を分けて行うことである。実施例１では多値の情報信号を空間光変調器で表示し、１度の信号光照射でホログラムを記録していたが、本実施例では異なる２値の情報信号を２度信号光照射してホログラムを記録する。本実施例におけるデータ記録時の処理フローを図１３に示す。【００４９】
図１３が図８と異なる点は偶数ページ／奇数ページどちらであっても空間光変調器にパターンを転送（Ｓ１３０８）し、パターン転送後にページデータの奇数／偶数を判定（Ｓ１３０９）、ページデータが偶数であった場合にはもう1度データを受信（Ｓ１３０１）し、奇数ページデータ作成、虚数部分として空間光変調器に再度パターンを転送（Ｓ１３０８）するところである。【００５０】
偶数ページデータの信号光照射と奇数ページデータの信号光照射が両方行われて情報信号が記録される為、信号光照射角度及び位置の移動は奇数ページデータの信号光照射後に行う。なお、奇数ページデータを作成する間に偶数ページデータの信号光を照射しておくことで、空間光変調器にパターンを転送した後の処理待ち時間を省くことが可能である。これにより複素振幅の信号情報を表示できない、もしくは２値の信号情報しか表示することのできない空間光変調器を用いても多値の信号情報を記録することができる。
【実施例５】
【００５１】
本実施例が実施例１と異なるのは、複素振幅で表した情報信号を再度振幅のみの信号に置き換えて記録することである。実施例１では複素振幅で表した情報信号を空間光変調器で表示して記録していたが、本実施例では振幅のみで表した多値の情報信号を空間光変調器で表示して記録する。本実施例におけるデータ再生時の処理フローを図１４に示す。【００５２】
図１４が図８と異なるのは偶数ページと奇数ページを足し合わせて複素振幅の情報信号を作成（Ｓ１４１０）した後に、複素振幅の情報信号を再度振幅だけの情報信号に置き換える（Ｓ１４１１）ところである。複素振幅の情報を振幅の情報に置き換える例を図１５に示す。実施例１で例とした複素振幅の４値“１＋ｊ”、“１−ｊ”、“−１＋ｊ”、“−１−ｊ”を振幅４値に置き換える際には信号点の配置を実軸上に移せば良い為、例えば４値を“√２”、”２√２／３“、“√２／３”、“０”とすればよい。これにより複素振幅の信号情報を表示できない空間光変調器を用いても多値の信号情報を記録することができる。本実施例では振幅４値の最大値を√２、かつ４値の信号点の間隔を等間隔としたが、虚数を含まない値であればどのような値の範囲、どのような対応付けであっても構わないし、信号点の間隔は等間隔でなくとも構わない。
【実施例６】
【００５３】
本実施例が実施例１と異なるのは、複素振幅の情報を再生する際に再生光と同時に干渉光を光検出器に照射し、実部のみの検出と虚部のみの検出を分けて行うことである。干渉光は光源（３０１）を用いて生成することが可能であり、例えば図４における信号再生時にＰＢＳプリズム（３０４、３１１）をハーフミラーに置き換えることで参照光（３０７）の半分の光が干渉光として光検出器（３２５）に到達する。更に、例えばフェーズマスク（３０９）をλ／４板といった光学素子に置き換えることで干渉光の位相を変化させることが可能となり、干渉光の位相をπ／２変化させて参照光を２度照射することで信号情報の実部再生／虚部再生を切り替えることができる。【００５４】
実施例１では複素振幅の情報信号を１度の参照光照射で再生し、再生信号処理によって実部と虚部を分離していたが、本実施例では再生された情報信号を取得した時点で実部と虚部が分離されている。本実施例におけるデータ再生時の処理フローを図１６に示す。【００５５】
図１６が図９と異なるところは再生時に実部と虚部の分離を行わず、誤り検出（８２１）後に再生データの実部／虚部を判定（Ｓ１６１２）し、データが実部である場合には一旦実部を記憶（Ｓ１６１３）し、再度光検出器で再生画像を取得（８１１）することである。データが虚部であった場合には記憶していた実部と足し合わせ（Ｓ１６１４）複素振幅の多値データとして再生データを送信（Ｓ１６１５）する。足し合わせる実部データと虚部データは記録媒体上の同一箇所に記録されたホログラムから再生される為、参照光照射角度及び位置の移動は実部／虚部判定で虚部と判定された後に行う。【００５６】
本実施例では再生信号処理で複素振幅の情報信号の実部と虚部を分離する必要がなくなり、処理の負荷低減が可能となる。記録媒体からの情報信号再生方法によっては再生データの実部／虚部の区別が無く判定できない場合がある。その場合には例えば２度照射のうち１度目を実部、２度目を虚部として割り当てることで２度目のデータを虚部と判断することが可能である。【００５７】
上記実施例では情報信号を複素振幅で表現し、実部と虚部をそれぞれ連続数の下限値をＫ（Ｋ≧２，Ｋ：自然数）とする２次元符号化を行ったが、情報信号を振幅情報と位相情報に分けてそれぞれ連続数の下限値をＫ（Ｋ≧２，Ｋ：自然数）とする２次元符号化を行ってもよい。その場合、例えば振幅変調型の空間光変調器と位相変調型の空間光変調器を同時に用いてそれぞれの空間光変調器に表示される信号が連続数の下限値をＫ（Ｋ≧２，Ｋ：自然数）となる情報信号にし、それを重ね合わせることで振幅位相信号を生成することができる。
上記実施例では角度多重記録方式のホログラム記録技術に基づく説明を記述したが、本発明は角度多重記録方式に限定されるものではなく、シフト多重記録方式等の他のホログラム記録技術や、ホログラム以外の光情報記録媒体における信号処理に使用しても構わない。【００５８】
また、上記実施例では偶数ページを複素振幅の実部、奇数ページを虚部として扱ったが偶数ページを虚部、奇数ページを実部としても構わない。【００５９】
また、上記実施例では２次元復調時に実部と虚部を分けて処理したが、分離することなく２次元復調しても構わない。多値のままの情報信号を扱うことにより実部と虚部の分離及び足し合わせる必要が無くなり、処理を高速が出来る可能性がある。【００６０】
更に、上記実施例では４値への多値化を例として記述したが、記録する情報信号の値はいくつの値をとっても構わない。情報信号は実部と虚部の組み合わせによって表される為、実部と虚部を多値化することにより足し合わせた情報信号も同様に多値化することが可能である。例えば実部／虚部に対して２値に対応した２次元変調回路を２段繋げて処理することで４値に、３段繋げて処理することで８値に対応することが可能となる。【００６１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６２】
１・・・光情報記録媒体、１０・・・光情報記録再生装置、１１・・・ピックアップ、１２・・・再生用参照光光学系、１３・・・ディスクＣｕｒｅ光学系、１４・・・ディスク回転角度検出用光学系、８１・・・アクセス制御回路、８２・・・光源駆動回路、８３・・・サーボ信号生成回路、８４・・・サーボ制御回路、８５・・・信号処理回路、８６・・・信号生成回路、８７・・・シャッタ制御回路、８８・・・ディスク回転モータ制御回路、８９・・・コントローラ、９０・・・入出力制御回路、９１・・・外部制御装置、３０１・・・光源、３０３・・・シャッタ、３０４・・・光学素子３０５・・・ＰＢＳプリズム、３０６・・・信号光、３０７・・・参照光、３０８・・・ビームエキスパンダ、３０９・・・フェーズ（位相）マスク、３１０・・・リレーレンズ、３１１・・・ＰＢＳプリズム、３１２・・・空間光変調器、３１３・・・リレーレンズ、３１４・・・開口、３１５・・・対物レンズ、３１６・・・偏光方向変換素子、３２０・・・アクチュエータ、３２１・・・レンズ、３２２・・・レンズ、３２３・・・アクチュエータ、３２４・・・ミラー、３２５・・・光検出器
【図１ａ】
2016194154.tif 000003
【図１ｂ】
2016194154.tif 000004
【図１ｃ】
2016194154.tif 000005
【図２】
2016194154.tif 000006
【図３】
2016194154.tif 000007
【図４】
2016194154.tif 000008
【図５ａ】
2016194154.tif 000009
【図５ｂ】
2016194154.tif 000010
【図５ｃ】
2016194154.tif 000011
【図６】
2016194154.tif 000012
【図７】
2016194154.tif 000013
【図８】
2016194154.tif 000014
【図９】
2016194154.tif 000015
【図１０ａ】
2016194154.tif 000016
【図１０ｂ】
2016194154.tif 000017
【図１０ｃ】
2016194154.tif 000018
【図１１ａ】
2016194154.tif 000019
【図１１ｂ】
2016194154.tif 000020
【図１１ｃ】
2016194154.tif 000021
【図１２】
2016194154.tif 000022
【図１３】
2016194154.tif 000023
【図１４】
2016194154.tif 000024
【図１５】
2016194154.tif 000025
【図１６】
2016194154.tif 000026
【図１７ａ】
2016194154.tif 000027
【図１７ｂ】
2016194154.tif 000028
【図１８ａ】
2016194154.tif 000029
【図１８ｂ】
2016194154.tif 000030
【図１９ａ】
2016194154.tif 000031
【図１９ｂ】
2016194154.tif 000032
【図２０】
2016194154.tif 000033
【国際調査報告】
2016194154.tif 000034
2016194154.tif 000035
2016194154.tif 000036
2016194154.tif 000037